(57)【要約】【課題】従来通りのシャツらしい風合いを損なうことなく下着の透けを防止し得るシャツを提供する。【解決手段】下前身頃２と上前身頃３と後身頃４を成す表地２ａ，３ａ，４ａの内側に、吸水速乾性のニット素材から成る裏地２ｂ，３ｂ，４ｂを重ね合わせて縫着し、下前身頃２と上前身頃３と後身頃４における透過度を１０％以下に抑制する。【選択図】図２
0003185006.tif 000002
【実用新案登録請求の範囲】
【請求項１】
下前身頃と上前身頃と後身頃を成す表地の内側に、吸水速乾性のニット素材から成る裏地を重ね合わせて縫着し、下前身頃と上前身頃と後身頃における透過度を１０％以下に抑制したことを特徴とするシャツ。
【請求項２】
下前身頃と上前身頃と後身頃の相互をインターロック縫いで縫い付けたことを特徴とする請求項１に記載のシャツ。
【請求項３】
下前身頃と上前身頃と後身頃の相互を二本針環縫いで縫い付けたことを特徴とする請求項１に記載のシャツ。
【請求項４】
下前身頃と上前身頃と後身頃の相互を本巻伏縫いで縫い付けたことを特徴とする請求項１に記載のシャツ。
【考案の詳細な説明】
【技術分野】
【０００１】
本考案は、シャツに関するものである。
【背景技術】
【０００２】
従来、働く女性の仕事着やカジュアルなおしゃれを楽しむアイテムとしてレディースのシャツが広く用いられており、特に清潔感のある白いシャツは、ビジネスシーン等において多くの女性の人気を得ているものである。
【考案の概要】
【考案が解決しようとする課題】
【０００３】
しかしながら、シャツの下前身頃や上前身頃や後身頃といった着用者の体幹部を覆う部分は、綿や綿とポリエステルの混紡等から成るシャツ生地一枚で仕立てられているため、シャツの下に着用している下着が透け易いという問題があるが、そうであるからといって、一般的なシャツ生地とは異なる厚手の生地に変更してしまったのでは、いわゆるシャツらしい風合いが損なわれて肌触りや着心地が悪くなり、外観から受ける印象も違ったものとなる虞れがあった。
【０００４】
本考案は上述の実情に鑑みてなしたもので、従来通りのシャツらしい風合いを損なうことなく下着の透けを防止し得るシャツを提供することを目的としている。
【課題を解決するための手段】
【０００５】
本考案は、下前身頃と上前身頃と後身頃を成す表地の内側に、吸水速乾性のニット素材から成る裏地を重ね合わせて縫着し、下前身頃と上前身頃と後身頃における透過度を１０％以下に抑制したことを特徴とするシャツ、に係るものである。
【０００６】
而して、このようにすれば、綿や綿とポリエステルの混紡等から成るシャツ生地をそのまま下前身頃と上前身頃と後身頃を成す表地として使用しても、吸水速乾性のニット素材から成る裏地を重ね合わせて縫着することにより透過度を１０％以下に抑制して下着の透けを防止することが可能となる。
【０００７】
この際、裏地のニット素材は、もともと伸縮性に富む性質を備えているので、着用者の体幹部やその動きに優しくフィットして肌触りや着心地に悪影響を及ぼすことがなく、表地の外観に質感を悪くするようなごわごわした印象やもこもこした印象を与えることもないため、従来通りのシャツらしい風合いを損なわなくて済むことになる。
【０００８】
しかも、裏地のニット素材が吸水速乾性を持つことで汗を素早く吸収して蒸発させることが可能であり、暑い季節に着用しても、汗が肌にべた付いて不快感を感じたり、汗をかいた後の涼しい場所での休息時に汗冷えを感じたりすることがなく、また、寒い季節に着用しても、裏地のニット素材による保温性で寒さが和らげられる。
【０００９】
更に、本考案においては、下前身頃と上前身頃と後身頃の相互をインターロック縫いで縫い付けたり、二本針環縫いで縫い付けたり、本巻伏縫いで縫い付けたりすることが可能であり、インターロック縫いでは、外側にステッチが現れないことにより外観がすっきりとまとまる反面、裏側に縫い代が張り出して肌触りが気になる虞れがあり、二本針環縫いや本巻伏縫いでは、外側にステッチのラインが現れてしまう反面、丈夫な縫い目となって耐久性が上がり且つ裏側にインターロック縫いのような縫い代が張り出さなくなって肌触りが良くなる。
【考案の効果】
【００１０】
上記した本考案のシャツによれば、下記の如き種々の優れた効果を奏し得る。
【００１１】
（Ｉ）裏地のニット素材が着用者の体幹部やその動きに優しくフィットして、肌触りや着心地、外観の印象に悪影響を及ぼすことがないため、従来通りのシャツらしい風合いを損なうことなく下着の透けを防止することができ、例えば、レディースのシャツとして女性が安心して着用することができる。
【００１２】
（ＩＩ）裏地のニット素材が持つ吸水速乾性により汗を素早く吸収して蒸発させることができるので、暑い季節に汗が肌にべた付くことによる不快感や汗冷えを防ぐことができ、また、寒い季節には裏地のニット素材による保温性で寒さを和らげることもできるので、一年を通して快適に着用することができる。
【００１３】
（ＩＩＩ）下前身頃と上前身頃と後身頃の相互をインターロック縫いで縫い付ければ、外側にステッチが現れないようにして外観をすっきりとまとめることができ、二本針環縫いや本巻伏縫いで縫い付ければ、丈夫な縫い目にして耐久性を向上することができ且つ裏側に縫い代が張り出さないようにして肌触りを良くすることができる。
【図面の簡単な説明】
【００１４】
【図１】本考案を実施する形態の一例を示す正面図である。
【図２】図１の下前身頃と上前身頃と後身頃を裏側から見た分解図である。
【図３】図２の下前身頃の前立の作り方を説明する図である。
【図４】図２の上前身頃の前立の作り方を説明する図である。
【図５】インターロック縫いについて説明する断面図である。
【図６】二本針環縫いについて説明する断面図である。
【図７】本巻伏縫いについて説明する断面図である。
【考案を実施するための形態】
【００１５】
以下本考案の実施の形態を図面を参照しつつ説明する。
【００１６】
図１は本考案を実施する形態の一例を示すもので、図中１はレディースのシャツ、２は該シャツ１の前を閉じ合わせた時に内側となる正面部分を成す下前身頃、３は前記シャツ１の前を閉じ合わせた時に外側となる正面部分を成す上前身頃、４はシャツ１の背面部分を成す後身頃、５は衿、６，７は左右の袖、８，９は下前身頃２と上前身頃３の前立を夫々示している。
【００１７】
そして、図２に裏側から見た状態を示しているように、前記シャツ１（図１参照）における着用者の体幹部を覆う下前身頃２と上前身頃３と後身頃４を成す表地２ａ，３ａ，４ａの内側には、吸水速乾性のニット素材から成る裏地２ｂ，３ｂ，４ｂが夫々重ね合わされて縫着されており、下前身頃２と上前身頃３と後身頃４における透過度が１０％以下に抑制されるようになっている。
【００１８】
ここで、透過度は、試験片の裏側に白い板を当てて測定した時の明度（Ｌｆｗ）と、試験片の裏側に黒い板を当てて測定した時の明度（Ｌｆｂ）との差に基づいて以下のようにして求められる。
【００１９】
即ち、試験片が透け難い素材であれば、裏側に黒い板を当てても明度に影響が少ないことからＬｆｗに近い値が出ることになり（透け難いので裏側の色に影響を受けず、生地の明度のみが結果となる）、Ｌｆｗ−Ｌｆｂが小さいほど透け難いということになる。
【００２０】
依って、裏側に当てる白い板の明度（Ｌｗ）から裏側に当てる黒い板の明度（Ｌｂ）を引いたＬｗ−Ｌｂを基準となる明度の差とすれば、このＬｗ−ＬｂとＬｆｗ−Ｌｆｂが同じ値であれば、何も付けていない状態の明度の差と同じことになり、その透過度が１００％ということになる。つまり、透過度は、
［数１］
（Ｌｆｗ−Ｌｆｂ）／（Ｌｗ−Ｌｂ）×１００
で求めることができる。
【００２１】
尚、この透過度を１００から引けば、透け防止度（％）が求められることになり、透過度が１０％以下に抑制されるということは、透け防止度が９０％以上であることを意味している。
【００２２】
また、下前身頃２と上前身頃３と後身頃４を成す表地２ａ，３ａ，４ａの内側に裏地２ｂ，３ｂ，４ｂを縫い付ける際には、相互の外縁部をしつけ縫いするようにしているが、下前身頃２と上前身頃３には前立８，９を作る必要があるため、下前身頃２の前立８については、図３に示す如く、表地２ａを完全三つ折りとして裏地２ｂを挟み込むようにして縫い付けることにより前立８を作り、上前身頃３の前立９については、図４に示す如く、表地３ａを完全三つ折りとして裏地２ｂを芯地１０と一緒に挟み込むようにして縫い付けることにより前立９を作っている。
【００２３】
更に、下前身頃２と上前身頃３と後身頃４の相互は、図５に示す如きインターロック縫いで縫い付けたり、図６に示す如き二本針環縫いで縫い付けたり、図７に示す如き本巻伏縫いで縫い付けたりすることが可能であり、これら図５〜図７における図示は下前身頃２と後身頃４との脇縫いの場合を例示しているが、上前身頃３と後身頃４との脇縫いや肩縫いにも同様の形式を用い得ることは勿論である。
【００２４】
尚、インターロック縫いでは、外側にステッチが現れないことにより外観がすっきりとまとまる反面、裏側に縫い代が張り出して肌触りが気になる虞れがあり、二本針環縫いや本巻伏縫いでは、外側にステッチのラインが現れてしまう反面、丈夫な縫い目となって耐久性が上がり且つ裏側にインターロック縫いのような縫い代が張り出さなくなって肌触りが良くなる。
【００２５】
而して、このようにすれば、綿や綿とポリエステルの混紡等から成るシャツ生地をそのまま下前身頃２と上前身頃３と後身頃４を成す表地２ａ，３ａ，４ａとして使用しても、吸水速乾性のニット素材から成る裏地２ｂ，３ｂ，４ｂを重ね合わせて縫着することにより透過度を１０％以下に抑制して下着の透けを防止することが可能となる。
【００２６】
この際、裏地２ｂ，３ｂ，４ｂのニット素材は、もともと伸縮性に富む性質を備えているので、着用者の体幹部やその動きに優しくフィットして肌触りや着心地に悪影響を及ぼすことがなく、表地２ａ，３ａ，４ａの外観に質感を悪くするようなごわごわした印象やもこもこした印象を与えることもないため、従来通りのシャツらしい風合いを損なわなくて済む。
【００２７】
しかも、裏地２ｂ，３ｂ，４ｂのニット素材が吸水速乾性を持つことで汗を素早く吸収して蒸発させることが可能であり、暑い季節に着用しても、汗が肌にべた付いて不快感を感じたり、汗をかいた後の涼しい場所での休息時に汗冷えを感じたりすることがなく、また、寒い季節に着用しても、裏地２ｂ，３ｂ，４ｂのニット素材による保温性で寒さが和らげられる。
【００２８】
従って、上記形態例によれば、裏地２ｂ，３ｂ，４ｂのニット素材が着用者の体幹部やその動きに優しくフィットして、肌触りや着心地、外観の印象に悪影響を及ぼすことがないため、従来通りのシャツらしい風合いを損なうことなく下着の透けを防止することができ、例えば、レディースのシャツとして女性が安心して着用することができる。
【００２９】
更に、裏地２ｂ，３ｂ，４ｂのニット素材が持つ吸水速乾性により汗を素早く吸収して蒸発させることができるので、暑い季節に汗が肌にべた付くことによる不快感や汗冷えを防ぐことができ、寒い季節には裏地２ｂ，３ｂ，４ｂのニット素材による保温性で寒さを和らげることもできるので、一年を通して快適に着用することができる。
【００３０】
また、下前身頃２と上前身頃３と後身頃４の相互をインターロック縫いで縫い付ければ、外側にステッチが現れないようにして外観をすっきりとまとめることができ、二本針環縫いや本巻伏縫いで縫い付ければ、丈夫な縫い目にして耐久性を向上することができ且つ裏側に縫い代が張り出さないようにして肌触りを良くすることができる。
【００３１】
尚、本考案のシャツは、上述の形態例にのみ限定されるものではなく、レディースのシャツ以外にメンズのシャツに対しても同様に適用して良いこと、また、袖の縫い付けについてもインターロック縫い、二本針環縫い、本巻伏縫い等を適宜に選択して用い得ること、その他、本考案の要旨を逸脱しない範囲内において種々変更を加え得ることは勿論である。
【符号の説明】
【００３２】
１  シャツ
２  下前身頃
２ａ  表地
２ｂ  裏地
３  上前身頃
３ａ  表地
３ｂ  裏地
４  後身頃
４ａ  表地
４ｂ  裏地
【図１】
0003185006.tif 000003
【図２】
0003185006.tif 000004
【図３】
0003185006.tif 000005
【図４】
0003185006.tif 000006
【図５】
0003185006.tif 000007
【図６】
0003185006.tif 000008
【図７】
0003185006.tif 000009